(57)【要約】【課題】連携制御が重複している機器に無駄な運転や矛盾した動作が発生しないホームネットワークシステムと、これに用いる汎用性の高い通信アダプタとホームコントローラを提供すること。【解決手段】複数の家電機器と、これら各家電機器をそれぞれホームネットワークへ接続するとともに家電機器を制御する制御プログラムが複数格納された通信アダプタと、この通信アダプタを介して家電機器を制御するホームコントローラとから構成されたホームネットワークシステムであって、ホームコントローラは、複数の家電機器が連携して制御する場合において、制御対象となる家電機器の制御条件に互いに矛盾した少なくとも２以上の指示内容が含まれる時、その各制御条件に対応する制御プログラムの中から適切な制御プログラムを予め選択する制御管理手段を設けるように構成した。【選択図】        図１
2004248043.tif 000002
【特許請求の範囲】
【請求項１】
複数の家電機器と、これら各家電機器をそれぞれホームネットワークへ接続するとともに該家電機器を制御する制御プログラムが複数格納された通信アダプタと、この通信アダプタを介して前記家電機器を制御するホームコントローラとから構成されたホームネットワークシステムであって、
前記ホームコントローラは、
前記複数の家電機器が連携して制御する場合において、
制御対象となる家電機器の制御条件に互いに矛盾した少なくとも２以上の指示内容が含まれる時、
その各制御条件に対応する前記制御プログラムの中から適切な制御プログラムを予め選択する制御管理手段を有することを特徴とするホームネットワークシステム。
【請求項２】
請求項１記載のホームネットワークシステムを構成するホームコントローラであって、
ホームネットワークに通信アダプタを介して接続された複数の家電機器の制御条件を入力する入力部と、
入力された制御条件等を表示する表示部と、
前記制御条件及び前記制御プログラムの使用に関する情報が格納された記憶部と、
前記各家電機器から該家電機器の制御情報を取得して表示部に表示する機器情報取得手段及び前記入力部に入力された制御条件が適切かどうかを判断し、制御プログラムの適切な選択を行う前記制御管理手段を含む制御部と、
前記制御管理手段により選択された制御プログラムを前記通信アダプタへ送信するネットワークインタフェース部と、を備えたことを特徴とするホームコントローラ。
【請求項３】
複数の家電機器と、これら各家電機器をそれぞれホームネットワークへ接続するとともに該家電機器を制御する制御プログラムが格納された通信アダプタと、この通信アダプタを介して前記家電機器を制御するホームコントローラとから構成されたホームネットワークシステムであって、
前記ホームコントローラは、
前記制御プログラムと同じ制御プログラムが複数格納されており、
前記複数の家電機器が連携して制御する場合において、
制御対象となる家電機器の制御条件に互いに矛盾した少なくとも２以上の指示内容が含まれる時、
その各制御条件に対応する前記複数の制御プログラムの中から適切な制御プログラムを予め選択する制御管理手段を有することを特徴とするホームネットワークシステム。
【請求項４】
請求項３記載のホームネットワークシステムを構成するホームコントローラであって、
ホームネットワークに通信アダプタを介して接続された複数の電気機器の制御条件を入力する入力部と、
入力された制御条件等を表示する表示部と、
前記制御条件及び前記各家電機器を制御する複数の制御プログラムが格納された記憶部と、
前記各家電機器から該家電機器の制御情報を取得して表示部に表示する機器情報取得手段及び前記入力部に入力された制御条件が適切かどうかを判断し、制御プログラムの適切な選択を行う前記制御管理手段を含む制御部と、
前記制御管理手段により選択された制御プログラムを前記通信アダプタへ送信するネットワークインタフェース部と、を備えたことを特徴とするホームコントローラ。
【請求項５】
前記制御管理手段は、
指示内容の優先順位を定めたデータ情報を含むテーブルを有することを特徴とする請求項２または４記載のホームコントローラ。
【請求項６】
請求項１または３記載のホームネットワークシステムを構成する通信アダプタであって、
前記家電機器に接続される入出力インタフェース部と、
前記ホームネットワークに接続されるネットワークインタフェース部と、
前記家電機器を制御する制御プログラムが複数格納されている記憶部と、
該記憶部と該入出力インタフェース部と該ネットワークインタフェース部の間でデータ処理と交換を行ない、
前記ホームコントローラから自身に繋がる家電機器を制御する指示内容を受けるとともにホームネットワークに繋がる他の通信アダプタと指示内容の授受を行う制御部と、を備えたことを特徴とする通信アダプタ。
【請求項７】
前記記憶部に記憶される前記制御プログラムは、ホームネットワークに接続された他の電気機器により、その一部または全部を書換え可能であることを特徴とする請求項６または７記載の通信アダプタ。
【請求項８】
前記入出力インタフェース部を介して接続先の家電機器に関する情報を取得し、前記記憶部の制御プログラムに記憶されている接続先の家電機器と前記家電機器情報とを比較し、整合してない場合、若しくは制御対象機器が未設定の場合に、ホームコントローラに対して通知することを特徴とする請求項６または７記載の通信アダプタ。
【発明の詳細な説明】
【０００１】
【発明の属する技術分野】
本発明は、連携して動作する複数の家電機器を含むホームネットワークシステムと、これに用いる通信アダプタ及びホームコントローラに関するものである。
【０００２】
【従来の技術】
従来のホームネットワークシステムでは、複数の家電機器にそれぞれサーバ機能を組込むと共に、各家電機器に対して個別に制御プログラムをインストールし、スケジュール運転や連携制御を行っていた（特許文献１参照）。
【０００３】
【特許文献１】
特開２００１−３５０６７６号公報
【０００４】
【発明が解決しようとする課題】
従来のホームネットワークシステムは、以上のように構成されており、以下に示すような課題を有していた。
【０００５】
システム内で連携制御が輻輳している場合、連携制御が重複する機器に対し、重複している連携制御のそれぞれから異なる内容のコマンド（例えば、ＯＮコマンドとＯＦＦコマンド）が、集中的に繰り返し送信されることがあった。この結果、重複する機器がチャタリングを起こしてしまうなど、システム全体として眺めてみた時、無駄な運転や矛盾した動作が発生するケースがあった。
【０００６】
本発明は、係る課題を解決するためになされたもので、システム内で連携制御が輻輳した場合であっても、連携制御が重複している機器に無駄な運転や矛盾した動作が発生しないホームネットワークシステムと、これに用いる汎用性の高い通信アダプタとホームコントローラを提供することを目的にしている。
【０００７】
【課題を解決するための手段】
本発明に係るホームネットワークシステムは、複数の家電機器と、これら各家電機器をそれぞれホームネットワークへ接続するとともに家電機器を制御する制御プログラムが複数格納された通信アダプタと、この通信アダプタを介して家電機器を制御するホームコントローラとから構成されたホームネットワークシステムであって、ホームコントローラは、複数の家電機器が連携して制御する場合において、制御対象となる家電機器の制御条件に互いに矛盾した少なくとも２以上の指示内容が含まれる時、その各制御条件に対応する制御プログラムの中から適切な制御プログラムを予め選択する制御管理手段を設けたものである。
【０００８】
【発明の実施の形態】
実施の形態１．
図１は、本発明の実施の形態１に係るホームネットワークシステムの全体構成図である。
図において有線または無線のホームネットワーク１には、複数の電気機器２とこれを監視・制御するための１個のホームコントローラ３が接続されている。
電気機器２は、それぞれに通信アダプタ４を介してホームネットワーク１に接続されるエアコン２１ａ、換気扇２１ｂ、ＩＨ（Ｉｎｄｕｃｔｉｏｎ  Ｈｅａｔｉｎｇの略）調理器２１ｃ等の家電機器２１やセンサなどの機器と、通信アダプタ４を介さずに直接接続されるパーソナルコンピュータ２２などの機器に分けられる。
以下本文では、エアコン２１ａ、換気扇２１ｂ、ＩＨ調理器２１ｃに繋がる通信アダプタ４を区別する必要がある時は、品番４の後ろにａ、ｂ、ｃの添字を付けて表すことにする。
【０００９】
図２は、本発明の実施の形態１に係る通信アダプタ４の構成図である。
図において通信アダプタ４は、家電機器２１に配設された入出力インタフェース部２１１と接続され、家電機器２１との間でデータの交換を行う入出力インタフェース部４１と、ホームネットワーク１を介してホームコントローラ３や他の電気機器２に繋がるネットワークインタフェース部４４と、家電機器２１を制御するための制御プログラムが複数格納されている記憶部４２と、この記憶部４２と入出力インタフェース部４１とネットワークインタフェース部４４の間でデータの処理と交換を行なう制御部４３と、から構成されている。
【００１０】
図３は、本発明の実施の形態１に係るホームコントローラ３の構成図である。
図においてホームコントローラ３は、ユーザが入力するためのタッチパネルやボタンなどの入力部３１と、家電機器２１の内部情報を表示するためのＣＲＴやＬＣＤなどの表示部３２と、各設定データや通信アダプタ４に格納されている複数の制御プログラムに関する情報を記憶している記憶部３３と、通信アダプタ４から接続先の家電機器２１に関する情報を取得する機器情報取得手段３８と各機器に設定された制御条件が適切であるかどうかを判断して適切な制御プログラムを選択する制御管理手段３７を内蔵した制御部３４と、ホームネットワーク１を介して他の電気機器２と繋がるネットワークインタフェース部３５と、から構成されている。
【００１１】
図示されていないが、換気扇２１ｂに接続されている通信アダプタ４ｂでは、エアコン２１ａが稼動している情報を受け取ると、換気扇２ｂをＯＦＦにする制御プログラムが選択されている。
また、ＩＨ調理器２１ｃに接続されている通信アダプタ４ｃでは、ＩＨ調理器２１ｃが稼動している情報を受け取ると、換気扇用の通信アダプタ４ｂに対して換気扇２１ｂをＯＮにする旨のコマンドを送信する制御プログラムが選択されている。
さらに、エアコン２１ａに接続されている通信アダプタ４ａでは、室内の温度が２７℃以上になると自動運転する制御プログラムが選択されている。
【００１２】
次に図１〜３を参照にしながらホームネットワークシステムを構成するホームコントローラ３と通信アダプタ４の動作について説明する。
まず、ホームコントローラ３の機器情報取得手段３８は、ホームネットワーク１に接続されている各通信アダプタ４（４ａ、４ｂ、４ｃ）に対し、それぞれに繋がる家電機器２１（エアコン２１ａ、換気扇２１ｂ、ＩＨ調理器２１ｃ）に関する情報を取得することを要求する機器情報要求フレームを作成して送信する。
【００１３】
この機器情報要求フレームを受信した通信アダプタ４は、自身に接続されている家電機器２１に関する情報や制御条件を取得した後、この内容を含んだ機器情報応答フレームを作成してホームネットワーク１へ送信する。
ここでＩＨ調理器２１ｃを例に取り上げて、通信アダプタ４が自身に接続されている家電機器２１に関する情報を取得し、機器情報応答フレームを作成する動作について説明する。
【００１４】
ＩＨ調理器２１ｃに接続されている通信アダプタ４ｃは、ＩＨ調理器２１ｃに対し、定期的に「機器状態」の情報を取得するための機器状態情報要求フレームを、入出力インタフェース部４１を介して送信する。ＩＨ調理器２１ｃは、この機器状態情報要求フレームを受信すると、自身の「機器状態」に関する情報を含んだ機器状態情報応答フレームを作成し、入出力インタフェース部２１１を介して通信アダプタ４ｃへ返信する。
【００１５】
この機器状態情報応答フレームは、通信アダプタ４ｃの入出力インタフェース部４１を介して制御部４３により受信され、解釈される。これにより例えばＩＨ調理器２１ｃの「機器状態」が、「何Ｗで稼働中」、「停止中」などと解釈される。そして機器情報応答フレームには、こうして得られた「機器状態」に関する情報の他に、通信アダプタ４ｃの記憶部４２に格納されている各種制御プログラムがどのような設定（機器及び制御条件）の下で使用できるかといった情報が、含まれている。
【００１６】
このようにしてホームネットワーク１に繋がる全ての家電機器から「機器情報」を含んだ機器情報応答フレームが作成され、ホームネットワーク１へ送信される。これら機器情報応答フレームは全てホームコントローラ３で受信され、ホームコントローラ３には全ての家電機器に関する機器情報が集まる。
【００１７】
そしてホームコントローラ３の機器情報取得手段３８は、受信した機器情報応答フレームに基づいて、各機器において設定可能なパラメータや接続可能な機器情報などを含んだ制御条件を、表示部３２へ送信する。これら機器及び制御条件は、表示部３２に表示され、ユーザは、表示された機器及び制御条件を閲覧して連携動作する機器及び制御パラメータを設定する。
【００１８】
ユーザが設定した機器及び制御パラメータは、ホームコントローラ３の制御管理手段３７へ送信され、ここで、各機器に設定された制御条件が重複してないかどうか、特定の機器にチャタリングなどの矛盾した動作が発生しないかどうかがチェックされる。矛盾した動作が発生する場合には、重複している制御条件の中でどれを優先するかについて、記憶部３３に格納されているテーブルに基づいて決定する。このテーブルは、出荷時に予めインストールされていても良いし、初動時にユーザが設定するようにしても良い。
【００１９】
ここで初動時のユーザ設定について換気扇２１ｂ、エアコン２１ａ、ＩＨ調理器２１ｃによる連携制御を例に取り上げて説明する。
ユーザがＩＨ調理器２１ｃを使用し始めた場合を想定する。
ＩＨ調理器２１ｃの使用と同時に、これに接続されている通信アダプタ４ｃの制御プログラムは、通信アダプタ４ｂに対して換気扇２１ｂを起動（ＯＮ）させる旨のコマンドを送信する。このコマンドを受け取った通信アダプタ４ｂは、換気扇２１ｂを起動（ＯＮ）させる。
【００２０】
さらにＩＨ調理器２１ｃを使用し続けると、室内温度は上昇し、やがて所定温度（２７℃）を越えてしまいエアコン２１ａが起動（ＯＮ）される。そしてエアコン２１ａが起動（ＯＮ）している情報を、換気扇２１ｂに接続されている通信アダプタ４ｂで選択されている制御プログラムが、受け取ると、直ちに換気扇２１ｂを停止（ＯＦＦ）させる。
【００２１】
このように換気扇２１ｂにおいて、通信アダプタ４ＣによるＯＮ制御と通信アダプタ４ｂによるＯＦＦ制御が重複し、矛盾した動作が発生することが分かる。制御管理手段３７は、このような矛盾した動作が発生しないように、予め各機器に設定された制御条件をチェックする。そしてこのチェックにより制御条件が重複し、特定の機器にチャタリングなどの矛盾した動作が発生すると判定された場合には、矛盾点として抽出され、予めこれを表示してユーザの判断をあおぐ。
【００２２】
即ち、上記ケースでは、表示部３２には、換気扇にエアコン２１ａによるコマンド（制御条件）とＩＨ調理器２１ｃによるコマンドが重複すること、及びどちらの制御を優先するかについてユ−ザの判断をあおぐ内容が表示される。
表示内容に基づき、例えばユーザが、快適性よりも安全性を考慮し、ＩＨ調理器２１ｃによる制御の優先度を高く設定したとする。この設定内容は記憶部３３に格納されると共に、制御管理手段３７へ送られる。
【００２３】
そして制御管理手段３７はテーブル若しくは初動時に設定された内容に基づき、ＩＨ調理器２１ｃが稼動中にエアコン２１ａがＯＮになっても、換気扇２１ｂをＯＦＦに切換えない（ＯＮのままに保つ）制御プログラムを、記憶部３３に記憶されている各種制御プログラムに関する情報に基づいて選択する。この選択結果は、ネットワークインタフェース部３５を介して通信アダプタ４ｂへ通知される。
【００２４】
通信アダプタ４ｂは、この通知に基づいて記憶部４２に格納されている各種制御プログラムの中から適切な制御プログラムを選択する。そして選択された制御プログラムにより、例えばユーザがＩＨ調理器２１ｃを使用して換気扇２１ｂがＯＮとなり、さらにＩＨ調理器２１ｃを使用し続けて室内温度が所定温度（２７℃）を越えてしまいエアコン２１ａがＯＮされても、換気扇２ｂには相反する内容のＯＦＦコマンドが送信されることはなく、換気扇２１ｂがチャタリングを起こすことはなくなる。
【００２５】
このようにしてシステム内で連携制御が輻輳し、特定の機器に異なる内容のコマンドが重複して矛盾する動作が起こる場合であっても、予め制御管理手段３７によってこれを抽出し、コマンドの優先度を設定させ、この設定に基づいて通信アダプタ４を制御する制御プログラムを選択し、この選択結果を通信アダプタ４へ送信するようにしたので、矛盾する動作を回避することが出来る。
【００２６】
また本実施の形態では、快適性と安全性に係わる制御を例に取り上げて説明したが、省エネ性についても、他の制御と輻輳することによって特定の機器に異なる内容のコマンドが重複し、矛盾する動作が発生するようであれば、上記同様、予め優先度を定め、これに基づいて制御プログラムを選択するようにすれば回避できる。
【００２７】
また、本実施の形態では、初期設定時に矛盾が生じないようにホームコントローラ３の制御管理手段３７が、制御プログラムを選択する場合について説明したが、ホームコントローラ３の制御管理手段３７により制御動作を直接監視し、矛盾が発生する場合のみ、これを解消するように制御しても良い。
【００２８】
なお、本実施の形態では、複数の制御プログラムが通信アダプタ４の記憶部４２に格納されている場合について説明したが、これら制御プログラムはホームコントローラ３の記憶部３３に格納されていても良い。この場合、記憶部３３には、各家電機器の制御条件と家電機器を制御するための通信アダプタ３の制御プログラムが複数格納されており、制御管理手段３７は該制御条件の下、特定の機器に対し内容の異なるコマンドが重複することがないかどうかをチェックする。重複する場合は、上記と同様にして複数の制御プログラムの中から適切な制御プログラムを選択する。そして、この選択された制御プログラムはホームネットワーク１を介して通信アダプタ４へ送信（ダウンロード）され、家電機器２１を制御するために供される。
【００２９】
実施の形態２
実施の形態１では、接続される家電機器に対応した制御プログラムが、既に格納されている専用の通信アダプタについて説明した。本実施の形態では、接続される家電機器の変更に伴い、制御プログラムの書き換えが可能な汎用的な通信アダプタについて説明する。
【００３０】
ホームネットワークシステム１の全体構成は、実施の形態１と同じであるので、説明を省略する。
図４は、本発明の実施の形態に係る通信アダプタ４の構成図である。図において、実施の形態１と同一もしくは相当部分には同じ符号を付し、説明を省略する。実施の形態１で示した通信アダプタ４と比べると、新たに外部にリセットスイッチ４４４を配設した点が異なる。このリセットスイッチ４４４を押すことにより制御部４３は、記憶部４２を初期化する。
【００３１】
図５は、本発明の実施の形態に係るホームコントローラ３の構成図である。実施の形態１で示したホームコントローラ３と比べると、制御部３４内に新たにダウンロード手段３６が追加されている。
また図６は、本実施の形態に係る通信アダプタ４とホームコントローラ３との間におけるフレームのやり取りを示した通信シーケンスである。
以下、図４〜６を参照にしながらエアコン２１ａに接続していた通信アダプタ４ａに電気カーペットを接続し、使用する制御プログラムを書換える手順について説明する。
【００３２】
ユーザは通信アダプタ４ａを電気カーペットに新たに接続した後、リセットボタン４４４を押す（ステップＳ１）。これにより通信アダプタ４ａの制御部４３は記憶部４２を初期化し、ネットワークインタフェース部４４を介してホームコントローラ３に対してダウンロードを要求するダウンロード要求フレームを作成して送信する（ステップＳ２）。ダウンロード要求フレームを受信したホームコントローラ３はダウンロード手段３６により、ホームコントローラ３の記憶部３３に格納してある制御プログラムを表示部３２に表示させる。
【００３３】
ユーザは表示された家電機器２１の制御プログラムの中から、対象機器（電気カーペット）用の制御プログラムを入力部３１より選択する（ステップＳ３）。ダウンロード手段３６は入力部３１より選択された制御プログラムを記憶部３３から取り出す（ステップＳ４）。そしてこれを、ネットワークインタフェース部３５を介して、通信アダプタ４へ送信する。これにより通信アダプタ４ａには電気カーペット用の制御プログラムが新たに記憶部４２に格納され、電気カーペットの出力を制御することが可能となる。
【００３４】
このように通信アダプタの制御プログラムを、ホームコントローラから書き換えできるようにしたので、家電機器の変更についても同一の通信アダプタで対応することができる。この結果、家電機器毎に専用の通信アダプタを用いた場合と比べると、同一の機能を安価に実現できるようになる。また、制御機能のバージョンアップに対しても容易に対応できるようになる。
【００３５】
また本実施の形態では、ホームコントローラ３の表示部３２に表示させてユーザに選択させるようにしたが、ホームコントローラ３の記憶部３３に該当する制御プログラムが保持されている場合は、自動的に通信アダプタ４に対し、該当する制御プログラムをダウンロードさせるようにしても良い。このようにすることによりユーザの手間が省かれ、一層利便性が高まる。
【００３６】
また本実施の形態では、ホームコントローラ３を例に制御プログラムをダウンロードする機能について説明したが、同様の機能を実現するための表示部、入力部、記憶部および制御部があれば、パーソナルコンピュータ２２などの家庭内にある電気機器２であっても構わない。また、表示部、入力部によりユーザが指定しなくとも、機器を判断し、予め記憶部３３に保持されている制御プログラムを自動的にダウンロードさせるようにしても良い。
【００３７】
実施の形態３
家電機器２１と通信アダプタ４が接続された時、最初に家電機器と制御プログラムの整合性がチェックされる。本実施の形態では、この整合性のチェックについて説明する。
【００３８】
図７は、本発明の実施の形態３における家電機器２１と通信アダプタ４とホームコントローラ３との間のフレームのやり取りを示す通信シーケンスである。
また、ホームネットワークシステム１の全体構成と通信アダプタ４の構成とホームコントローラ３の構成は、実施の形態１と同じであるので、説明を省略する。
以下、図を参照にしながら、整合のとれていない通信アダプタ４と家電機器２が接続された場合の動作について説明する。
【００３９】
通信アダプタ４は家電機器２１に接続されると、家電機器２１に対して、機器情報要求フレームを作成して送信する（ステップＳ１１）。家電機器２１は機器情報要求フレームを受信すると、家電機器２１の機種名及び機種コード等の情報を含む機器情報応答フレームを作成し通信アダプタ４へ送信する（ステップＳ１２）。
【００４０】
通信アダプタ４の制御部４３は、機器情報応答フレームの内容と記憶部４２に記憶されている制御プログラムの対象家電機器を比較する（ステップＳ１３）。この結果、対象家電機器と機器情報応答フレームに含まれる家電機器２１が異なる場合、もしくは制御プログラムが設定されていない場合には、不整合もしくは未設定を通知するために不整合（未設定）通知フレームをホームコントローラ３へ送信する（ステップＳ１４）。そしてこの通知内容を表示部３２に表示することによりユーザへ通知する。
【００４１】
このようにして、ユーザは機器アダプタの接続不整合を認知することができる。またユーザは、接続した機器を間違えたのでなく、新たな家電機器に接続して使用するのであれば、対象家電機器に適した制御プログラムを製品付属のＣＤ−ＲＯＭや、パーソナルコンピュータ２２を利用してインターネットなどから入手し、これを実施の形態２で示したのと同様の手順にしたがって家電機器２１へダウンロードする。このように構成することにより間違った機器に接続した場合でも容易に検知可能である。
【００４２】
なお、スケジュール運転については、実施の形態１乃至３において、通信アダプタ４自身に、時間経過管理及び、これをトリガとする制御指令を含んだ制御プログラムを格納させ、時計機能を付与するようにすれば良い。このようにすれば、家電機器本体がタイマ機能を有していない場合であっても、タイマ機能やスケジュール運転などの時間管理を行うことができる。
【００４３】
【発明の効果】
本発明は、以上説明したように構成されているので、以下に示すような効果を奏する。
【００４４】
システム内で連携制御が輻輳し、連携制御が重複する家電機器に対し、異なる内容のコマンドが集中する可能性があっても、ホームコントローラ内に、この可能性を抽出し、これらコマンドを実行する優先順位を決め、この決定に基づいて重複する家電機器を制御する通信アダプタに対する制御プログラムを選択する制御管理手段を設けるようにしたので、チャタリングなどの矛盾した動作の発生を回避することができる。
【図面の簡単な説明】
【図１】本発明の実施の形態１に係るホームネットワークシステムの全体構成図である。
【図２】本発明の実施の形態１に係る通信アダプタの構成図である。
【図３】本発明の実施の形態１に係るホームコントローラの構成図である。
【図４】本発明の実施の形態２に係る通信アダプタの構成図である。
【図５】本発明の実施の形態２に係るホームコントローラの構成図である。
【図６】本発明の実施の形態２に係る通信アダプタとホームコントローラとの間の通信シーケンスである。
【図７】本発明の実施の形態３に係る家電機器と通信アダプタとホームコントローラとの間の通信シーケンスである。
【符号の説明】
１        ホームネットワーク
１１      入出力インタフェース部
２        電気機器
２１      家電機器
２１ａ    エアコン
２１ｂ    換気扇
２１ｃ    ＩＨ調理器
２１１    入出力インタフェース部
２２      パーソナルコンピュータ
３        ホームコントローラ
３１      入力部
３２      表示部
３３      記憶部
３４      制御部
３５      ネットワークインタフェース部
３６      ダウンロード手段
３７      制御管理手段
３８      機器情報取得手段
４        通信アダプタ
４ａ      （エアコン用）通信アダプタ
４ｂ      （換気扇用）通信アダプタ
４ｃ      （ＩＨ調理器用）通信アダプタ
４１      入出力インタフェース部
４２      記憶部
４３      制御部
４４      ネットワークインタフェース部
４４４    リセットスイッチ
【図１】
2004248043.tif 000003
【図２】
2004248043.tif 000004
【図３】
2004248043.tif 000005
【図４】
2004248043.tif 000006
【図５】
2004248043.tif 000007
【図６】
2004248043.tif 000008
【図７】
2004248043.tif 000009